(57)【要約】【課題】衣服全体で電飾効果が得られるとともに、細かな電飾効果が得られる衣服を実現できる光源を備えた生地を提供する。【解決手段】表地Ａと裏地Ｂとからなり、光を照射する光源を備えた生地であって、前記表地Ａに多数の灯光孔２が形成され、前記表地とＡ前記裏地Ｂとの間に、前記多数の灯光孔２のそれぞれに対向配置される発光体４と、これらの発光体４に駆動電流を供給する給電線５とからなる電飾装置３が配置されている。【選択図】図１
2018123462.tif 000002
【特許請求の範囲】
【請求項１】
表地と裏地とからなり、光を照射する光源を備えた生地であって、前記表地に多数の灯光孔が形成され、前記表地と前記裏地との間に、前記多数の灯光孔のそれぞれに対向配置される発光体と、これらの発光体に駆動電流を供給する給電線とからなる電飾装置が配置されていることを特徴とする光源を備えた生地。
【請求項２】
前記表地と前記裏地とが貼着されて一体化されていることを特徴とする請求項１に記載の光源を備えた生地。
【請求項３】
前記裏地が前記表地に着脱可能に装着されていることを特徴とする請求項１に記載の光源を備えた生地。
【請求項４】
前記表地と前記裏地が、ファスナーによって取り付けられていることを特徴とする請求項３に記載の光源を備えた生地。
【請求項５】
前記表地と前記裏地が、ボタンによって取り付けられていることを特徴とする請求項３に記載の光源を備えた生地。
【請求項６】
前記発光体がＬＥＤであることを特徴とする請求項１ないし請求項５に記載の光源を備えた生地。
【請求項７】
前記給電線が可撓性を有するプリント基板であることを特徴とする請求項１ないし請求項６の何れかに記載の光源を備えた生地。
【請求項８】
前記電飾装置が、前記表地若しくは裏地の何れかに止着されていることを特徴とする請求項１ないし請求項７の何れかに記載の光源を備えた生地。
【請求項９】
前記電飾装置が、前記給電線が接続され前記発光体へ駆動電流を供給する電源を備えていることを特徴とする請求項１ないし請求項８の何れかに記載の光源を備えた生地。
【請求項１０】
前記電源が、前記発光体への駆動電流の供給を制御するコントローラーを備えていることを特徴とする請求項９に記載の光源を備えた生地。
【請求項１１】
前記表地もしくは前記裏地に前記電源を収納するポケットが形成されていることを特徴とする請求項９または請求項１０に記載の光源を備えた生地。
【請求項１２】
前記灯光孔が、前記表地を穿孔することによって形成されていることを特徴とする請求項１ないし請求項１１の何れかに記載の光源を備えた生地。
【請求項１３】
前記灯光孔が、前記表地を織り込む際にこの織り目を調整することによって形成されていることを特徴とする請求項１内請求項１１の何れかに記載の光源を備えた生地。
【請求項１４】
前記請求項１ないし請求項１３の何れかに記載の光源を備えた生地よって縫製された衣服。
【発明の詳細な説明】
【技術分野】
【０００１】
本発明は、光源を備えた生地に係わり、特に、多数の光源を備え、衣服として仕立てた際に電飾効果が得られるようにした生地に関する。
【背景技術】
【０００２】
従来、衣服に発光体を取り付けることにより、この衣服に電飾効果を持たせることが行われており、その一従来例として、特許文献１に示されるように、柔軟な線状発光体を衣服の縁に縫い付ける技術が提案されている。
【先行技術文献】
【特許文献】
【０００３】
【特許文献１】実用新案登録第３０６１７７８号公報
【発明の概要】
【発明が解決しようとする課題】
【０００４】
ところで、前述した従来の技術にあっては、衣服の縁に縫い付けた線状発光体を発光させることにより、この衣服の輪郭を強調するようになっている。
【０００５】
一方、たとえば、ステージ衣装等にあっては、衣服全体を発光させて衣服全体を電飾体として用いることがある。
【０００６】
ここで、前述した技術を用いて衣服全体を電飾体とするには、前記線状発光体を前記衣服の表面に細かく縫い付ける必要がある。
このように線状発光体を衣服の表面に縫い付けると、その縫い目が表面に露出することで、衣服の外観が損なわれてしまうおそれがある。
【０００７】
また、線状の光による電飾であるため細かな電飾効果が得られず、その電飾効果が制限されてしまう。
【０００８】
本発明は、前述した従来の問題点に鑑みてなされたもので、衣服全体で電飾効果が得られるとともに、細かな電飾効果が得られる衣服を実現できる光源を備えた生地を提供することを解決すべき課題とする。
【課題を解決するための手段】
【０００９】
本発明の光源を備えた生地は、前述した課題を解決するために、表地と裏地とからなり、光を照射する光源を備えた生地であって、前記表地に多数の灯光孔が形成され、前記表地と前記裏地との間に、前記多数の灯光孔のそれぞれに対向配置される発光体と、これらの発光体に駆動電流を供給する給電線とからなる電飾装置が配置されていることを特徴とする。
【００１０】
このように構成された本発明の光源を備えた生地は、前記表地を、衣服を構成する各部位ごとに裁断し、これらの裁断された部位ごとに、その裏面側に電飾装置を配置して、この電飾装置を構成する多数の前記発光体を、前記表地に形成されている多数の灯光孔のそれぞれに対峙させ、さらに、前記表地に裏地を重ねて前記電飾装置を固定する。
【００１１】
これより、前記各部位を縫い合わせることにより衣服が縫製される。
このように縫製された衣服にあっては、その全ての部位の表面において、多数の灯光孔から前記発光体が露出させられる。
【００１２】
しかも、前記電飾装置を構成する前記給電線は、前記表地の裏側に配置されて表面へ露出することがなく、衣服の外観が損なわれることはない。
【００１３】
そして、前記給電線を介して前記各発光体に駆動電流を供給すると、衣服の表面の多数の点において光が照射されて、衣服全体での電飾がなされる。
【００１４】
ここで、前記発光体が独立して多数設けられていることにより、これらの発光を個別に制御することが可能であることから、多彩な電飾効果を実現することができる。
【００１５】
この発光体の発光制御は、衣服の各部位ごとに行うこともでき、あるいは、各部位の発光体が接続されている前記給電線を連結して、衣服全体で行うことも可能である。
【００１６】
前記表地と前記裏地は、貼着によって一体化することもでき、また、ファスナーやボタン等によって相互に着脱可能な構成とすることもできる。
【００１７】
前記発光体は、その消費電力や重量等を考慮した場合、ＬＥＤを用いることが好ましいが、使用目的等によっては、フィラメントを用いた発光体でもよい。
【００１８】
前記給電線は、衣服に用いることや、多数の発光体の発光を制御するためことを考慮すると、可撓性を有し、また、多数の給電経路を形成できるプリント基板を用いることが好ましい。
【００１９】
前記電飾装置は、前記表地と前記裏地で挟み込んで固定するようにしてもよく、前記表地若しくは裏地の何れかに止着するようにしてもよい。
【００２０】
前記電飾装置に、前記給電線が接続され前記発光体へ駆動電流を供給する電源を設けておくことも可能である。
【００２１】
このような構成とすることにより、前記電源を前記衣服に装着して、外部電源を不要にすることができる。
そして、この電源は、前記表地もしくは前記裏地にポケットを設けておくことにより衣服とともに携帯が可能となる。
【００２２】
また、前記電源に、前記発光体への駆動電流の供給を制御するコントローラーを設けておくことも可能である。
【００２３】
このコントローラーに、予め前記多数の発光体への給電パターンを記憶させておくことにより、前記発光体の発光パターンを制御してその電飾効果を高めることができる。
【００２４】
前記灯光孔は、前記表地を穿孔することによって形成することが可能であり、もしくは、前記表地を織り込む際にこの織り目を調整することによって形成することも可能である。
【発明の効果】
【００２５】
本発明の光源を備えた生地によれば、この生地を用いて衣服を仕立てた際に、衣服の表面に多数の発光体を配置して、衣服全体での電飾を行うことができ、かつ、前記発光体のみを生地表面に露出させることにより、衣服の外観が損なわれることを防止することができる。
【図面の簡単な説明】
【００２６】
【図１】本発明の第１の実施形態を示すもので、仕立てられた衣服の外観図である。
【図２】本発明の第１の実施形態にかかる電飾装置の要部を示す斜視図である。
【図３】本発明の第１の実施形態にかかる表地の正面図である。
【図４】本発明の第１実施形態を示すもので、衣服の後ろ身頃の部位の制作手順を示す図である。
【図５】本発明の第１の実施形態を示すもので、衣服の後ろ身頃の裏面である。
【図６】本発明の第２の実施形態を示すもので、衣服の表地を示す外観図である。
【図７】本発明の第２の実施形態を示すもので、衣服の裏地を示す外観図である。
【図８】本発明の第３の実施形態を示すもので、衣服の袖の表地と裏地との取り付け方法を説明するための外観図である。
【発明を実施するための形態】
【００２７】
以下、本発明の第１の実施形態について、図１ないし図５を参照して説明する。
図１中、符号１は本実施形態に関わる光源を備えた生地（以下、生地と略称する）を示し、符号Ｃは、この生地１によって縫製された衣服を示す。
【００２８】
前記生地１は、表地Ａと、この表地Ａの裏側に取り付けられる裏地Ｂとによって構成され、前記表地Ａには、多数の灯光孔２がほぼ全面にわたって形成されている。
【００２９】
前記衣服Ｃは、大まかに、前身頃の部位Ｃ１、後ろ身頃の部位Ｃ２、袖の部位Ｃ３、および、襟の部位Ｃ４によって構成されている。
【００３０】
前記各部位Ｃ１〜Ｃ４は、各部位毎に前記表地Ａと裏地Ｂが裁断されて、これらの表地Ａと裏地Ｂとが貼着等の手段によって重ね合わされることによって形成され、さらに、これらの各部位Ｃ１〜Ｃ４を縫製等によって組み合わせることにより前記衣服Ｃに仕立てられている。
【００３１】
前記灯光孔２は、前記表地Ａが織物出ない場合には、たとえば、この表地Ａを穿孔することによって形成され、前記表地Ａが織物である場合には、たとえば、その織り目を調整することによって形成される。
【００３２】
前記表地Ａと前記裏地Ｂとの間には、図２に示すような電飾装置３が装着されている。
【００３３】
この電飾装置３は、前記表地Ａに形成された多数の前記灯光孔２のそれぞれに対峙させられる発光体４と、これらの発光体４が装着されるとともに、これらの発光体４に駆動電流を供給する給電線５と、この給電線５に接続された電源としての蓄電池６と、この蓄電池６と前記給電線５との間に設けられ、前記発光体４へ供給する駆動電流の供給形態を調整するコントローラー７とによって構成されている。
【００３４】
前記発光体４は、たとえば３色ＬＥＤが用いられ、各発光体４に供給される駆動電流が前記コントローラー７によって調整されることにより、各発光体４が個々に点灯もしくは消灯させられ、かつ、その発光色が変更されるようになっている。
【００３５】
前記給電線５は、可撓性を有する薄肉のプラスチック基板に導電性材料によって複数の導電線が形成されたプリント基板によって形成されている。
【００３６】
そして、前記発光体４は、前記給電線５上に、前記灯光孔２の間隔と同一間隔で装着されるとともに、前記給電線５に形成されている導電線に電気的に接続されている。
【００３７】
ついで、このように構成された本実施形態の生地１によって前記衣服Ｃを仕立てる手順について説明する。
【００３８】
前記衣服Ｃの仕立てには、まず、前記生地１を、前記表地Ａおよび前記裏地Ｂともに、前記衣服Ｃの各部位に合わせて裁断する。
【００３９】
以降、後ろ身頃の部位Ｃ２を例にとって説明する。
図３に示すように、後ろ身頃の部位Ｃ２の形状に合わせて、前記表地Ａおよび前記裏地Ｂを裁断し、本実施形態においては、前記表地Ａの裏面下部に、２つのポケット８を設けておく。
【００４０】
ついで、前記表地Ａの裏面に、この表地Ａに形成されている前記灯光孔２の配列方向に沿って、前記電飾装置３の前記給電線５を配設し、この給電線５に装着されている多数の前記発光体４を多数の前記灯光孔２のそれぞれに対峙させた後に、前記給電線５を前記表地Ａに接着剤等によって貼着することにより、図４に示すように、前記給電線５を前記表地Ａの裏面に取り付ける。
【００４１】
さらに、前記給電線５に接続されている前記蓄電池６や前記コントローラー７を、前記表地Ａに設けられている前記各ポケット８に収納しておく。
【００４２】
これより、前記表地Ａの裏面に、前記裏地Ｂを、前記電飾装置３を覆うように取り付けて、図５に示すように、前記後ろ身頃の部位Ｃ２を形成する。
【００４３】
同様の手順で前記衣服Ｃの残余の部位を形成した後に、これらの各部位Ｃ１〜Ｃ４を、縫製等によって相互に連結して図１に示すような前記衣服Ｃに仕立てる。
ただし、本実施形態においては、前記襟の部位Ｃ４に電飾装置３を配置してない例を示した。
【００４４】
そして、前記蓄電池６やコントローラー７は、前記後ろ身頃の部位Ｃ２のみに配置してある。
そこで、その他の部位Ｃ２、Ｃ３に装着した給電線５を、前記後ろ身頃の部位Ｃ２に装着した給電線５にカプラー等を介して接続することにより、これらの部位Ｃ２、Ｃ３の給電線５への駆動電流の供給を可能にする。
【００４５】
なお、図２および図４において符号９は、前記コントローラー７に接続されたスイッチを示す。
【００４６】
このように仕立てられた衣服Ｃの表面には、その表面に形成されている前記多数の灯光孔２を介して、多数の発光体４のみが露出させられ、前記電飾装置３の、前記発光体４を除く構成部材は前記衣服Ｃの内側に位置させられている。
【００４７】
したがって、前記衣服Ｃの表面がすっきりした状態となされ、その外観が損なわれることなく、衣服としての外観を保持することができる。
【００４８】
そして、前記各発光体４に駆動電流を供給することにより、前記衣服Ｃの表面に、複数の点発光による電飾を行うことができる。
【００４９】
ここで、前記灯光孔２および前記発光体４は、前記衣服Ｃの任意の位置に任意の配列で配置することができるので、これらの発光による電飾の形状も任意に設定することが可能とで、多彩な電飾効果を実現することができる。
【００５０】
そして、本実施形態のように、前記コントローラー７によって、前記多数の発光体４の発光を個々に調整することができ、この点からも、電飾の形態の多様化を図ることができる。
【００５１】
さらに、前記発光体４を３色ＬＥＤとすることにより、前述した前記発光体４の発光調整に加えて色彩の調整を行うことができ、電飾形態をさらに多様化することができる。
【００５２】
図６および図７は、本発明の第２の実施形態を示す。
本実施形態は、衣服Ｃの表地Ａと裏地Ｂを個別に縫製し、前記表地Ａの裏面に前記電飾装置３を組み込み、この表地Ａの裏面に、前記電飾装置３を覆うようにして、前記裏地Ｂをボタン１０によって装着するようにしたものである。
【００５３】
このような構成とすることにより、前記裏地Ｂを着脱可能にして、必要に応じて前記裏地Ｂを取り外して前記電飾装置３を露出させることができる。
これによって、この電飾装置３のメンテナンスを容易にする。
【００５４】
図８は、本発明の第３の実施形態を示す。
本実施形態は、前記衣服Ｃの袖の部位Ｃ３に変更を加えたもので、前記袖の部位Ｃ３の表地Ａと裏地Ｂをそれぞれ個別に縫製しておき、これらの表地Ａと裏地Ｂとを着脱可能に装着できるようにしたものである。
【００５５】
前記表地Ａの側面には長さ方向に沿ってファスナー１１が設けられており、このファスナー１１を開放することにより、前記表地Ａを平面状に展開できるようにしている。
【００５６】
また、前記表地Ａの袖口にもファスナー１２が設けられており、後述する宇裏地Ｂの袖口に設けられているファスナー１２と協働して、これらの表地Ａと裏地Ｂとを着脱可能に連結するようになっている。
【００５７】
一方、前記裏地Ｂは筒状に形成され、その袖口には、前述したように前記ファスナー１２が設けられ、さらにその表面に前記電飾装置３が装着されている。
【００５８】
このような構成とすることにより、前記電飾装置３を、前記裏地Ｂとともに取り外してそのメンテナンス等を行うことができる。
【００５９】
なお、前記各実施形態において示した各構成部材の諸形状や寸法等は一例であって、衣服の種類や使用目的等に応じて種々変更可能である。
【符号の説明】
【００６０】
１  生地
２  灯光孔
３  電飾装置
４  発光体
５  給電線
６  蓄電池
７  コントローラー
８  ポケット
９  スイッチ
１０  ボタン
１１  ファスナー
１２  ファスナー
Ａ  表地
Ｂ  裏地
Ｃ  衣服
Ｃ１  前身頃の部
Ｃ２  後ろ身頃の部位
Ｃ３  袖の部位
Ｃ４  襟の部位
【図１】
2018123462.tif 000003
【図２】
2018123462.tif 000004
【図３】
2018123462.tif 000005
【図４】
2018123462.tif 000006
【図５】
2018123462.tif 000007
【図６】
2018123462.tif 000008
【図７】
2018123462.tif 000009
【図８】
2018123462.tif 000010
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
光を照射する光源を備えた衣服であって、前記衣服を複数の部位に分割して構成し、これらの各部位を、表地と裏地とからなり、前記表地に多数の灯光孔がほぼ全面にわたって形成され、前記表地と前記裏地との間に、前記多数の灯光孔のそれぞれに対向配置される発光体と、これらの発光体に駆動電流を供給する給電線とからなる電飾装置が配置された生地によって形成し、これらの各部位を形成する各生地を縫製等によって一体化し、かつ、前記各生地の給電線を相互に接続してなることを特徴とする光源を備えた衣服。
【請求項２】
前記表地と前記裏地とが貼着されて一体化されていることを特徴とする請求項１に記載の光源を備えた衣服。
【請求項３】
前記裏地が前記表地に着脱可能に装着されていることを特徴とする請求項１に記載の光源を備えた衣服。
【請求項４】
前記表地と前記裏地が、ファスナーによって取り付けられていることを特徴とする請求項３に記載の光源を備えた衣服。
【請求項５】
前記表地と前記裏地が、ボタンによって取り付けられていることを特徴とする請求項３に記載の光源を備えた衣服。
【請求項６】
前記発光体がＬＥＤであることを特徴とする請求項１ないし請求項５の何れかに記載の光源を備えた衣服。
【請求項７】
前記給電線が可撓性を有するプリント基板であることを特徴とする請求項１ないし請求項６の何れかに記載の光源を備えた衣服。
【請求項８】
前記電飾装置が、前記表地若しくは裏地の何れかに止着されていることを特徴とする請求項１ないし請求項７の何れかに記載の光源を備えた衣服。
【請求項９】
前記電飾装置が、前記給電線が接続され前記発光体へ駆動電流を供給する電源を備えていることを特徴とする請求項１ないし請求項８の何れかに記載の光源を備えた衣服。
【請求項１０】
前記電源が、前記発光体への駆動電流の供給を制御するコントローラーを備えていることを特徴とする請求項９に記載の光源を備えた衣服。
【請求項１１】
前記表地もしくは前記裏地に前記電源を収納するポケットが形成されていることを特徴とする請求項９または請求項１０に記載の光源を備えた衣服。
【請求項１２】
前記灯光孔が、前記表地を穿孔することによって形成されていることを特徴とする請求項１ないし請求項１１の何れかに記載の光源を備えた衣服。
【請求項１３】
前記灯光孔が、前記表地を織り込む際にこの織り目を調整することによって形成されていることを特徴とする請求項１ないし請求項１１の何れかに記載の光源を備えた衣服。
【手続補正３】
【補正対象書類名】明細書
【補正対象項目名】０００１
【補正方法】変更
【補正の内容】
【０００１】
本発明は、光源を備えた衣服に係わり、特に、多数の光源を備えて電飾効果が得られるようにした衣服に関する。
【手続補正４】
【補正対象書類名】明細書
【補正対象項目名】００２７
【補正方法】変更
【補正の内容】
【００２７】
以下、本発明の第１の実施形態について、図１ないし図５を参照して説明する。
図１中、符号１は本実施形態に関わる光源を備えた衣服Ｃを形成する生地を示し、この生地１を縫製することによって、前記衣服Ｃが形成されている。